(57)【要約】【課題】反射部を有さない構成と比較し、光出射手段又は受光手段を配置する空間の確保が容易な眼球面に装着される装着部材を提供する。【解決手段】眼球面に装着される装着部材の一例である反射部付きコンタクト部材３０は、眼球１０に向けて照射された光を前眼房１３を横切るように反射する反射部３３と、前眼房１３を横切った光を眼球１０の外に向けて反射する反射部３４との少なくとも一方を備える。【選択図】図１
2017200604.tif 000002
【特許請求の範囲】
【請求項１】
眼球に向けて照射された光を前眼房を横切るように反射する第１の反射部と、当該前眼房を横切った当該光を眼球の外に向けて反射する第２の反射部との少なくとも一方を備えた眼球面に装着される装着部材。
【請求項２】
前記第１の反射部および前記第２の反射部を有する請求項１に記載の眼球面に装着される装着部材。
【発明の詳細な説明】
【技術分野】
【０００１】
本発明は、眼球面に装着される装着部材に関する。
【背景技術】
【０００２】
特許文献１には、眼球を利用したグルコース濃度を測定する装置において、角膜の頂部よりも奥側に光出射手段及び受光手段を配置して、前眼房を横切るように光を出射及び受光する構成の光計測装置が開示されている。
【先行技術文献】
【特許文献】
【０００３】
【特許文献１】特開２００２−００５７０号公報
【発明の概要】
【発明が解決しようとする課題】
【０００４】
角膜の頂部よりも奥側に光出射手段及び受光手段を配置して前眼房を横切るように光を出射及び受光する構成の光計測装置では、眼球周辺の皮膚等が障害となり、光出射手段及び受光手段を配置する空間を確保しづらかった。
本発明は、反射部を有さない構成と比較し、光出射手段又は受光手段を配置する空間の確保が容易な眼球面に装着される装着部材を提供することを目的とする。
【課題を解決するための手段】
【０００５】
請求項１に記載の発明は、眼球に向けて照射された光を前眼房を横切るように反射する第１の反射部と、当該前眼房を横切った当該光を眼球の外に向けて反射する第２の反射部との少なくとも一方を備えた眼球面に装着される装着部材である。
請求項２に記載の発明は、前記第１の反射部および前記第２の反射部を有する請求項１に記載の眼球面に装着される装着部材である。
【発明の効果】
【０００６】
請求項１の発明によれば、反射部を有さない構成と比較し、光出射手段又は受光手段を配置する空間の確保が容易になる。
請求項２の発明によれば、第１の反射部および第２の反射部の一方のみを有する構成と比較し、光出射手段および受光手段を配置する空間の確保が容易になる。
【図面の簡単な説明】
【０００７】
【図１】第１の実施の形態が適用される眼球の光計測システムの構成の一例を示す図である。（ａ）は、眼球及び眼球の光計測システム、（ｂ）は、眼球に装着される反射部付きコンタクト部材の正面図である。
【図２】眼球の光計測システムによって、前眼房における眼房水に含まれる光学活性物質による偏光の回転角（旋光度）を計測する方法を説明する図である。
【図３】第１の実施の形態の眼球の光計測システムにおける反射部付きコンタクト部材の反射部を説明する断面図である。（ａ）は、封止されていない反射部、（ｂ）は、表面が平坦に封止された反射部、（ｃ）は、入射光に対して垂直な面で封止された反射部である。
【図４】反射部付きコンタクト部材の製造方法を説明する図である。（ａ）は、スピンキャスト法（遠心成型法）による製造方法、（ｂ）は、モールド法（鋳型法）による製造方法を説明する図である。
【図５】反射部付きコンタクト部材の転写法による製造方法を説明する図である。（ａ）は、型上に転写シートを設置した状態、（ｂ）は、転写シートを型に貼り付けた状態である。
【図６】第２の実施の形態が適用される反射部付きコンタクト部材と光路とを説明する図である。（ａ）は、反射部付きコンタクト部材の正面図、（ｂ）は、光路の設定方法の一例、（ｃ）は、光路の他の設定方法の一例である。
【図７】第３の実施の形態が適用される反射部付きコンタクト部材の正面図である。（ａ）は、反射部付きコンタクト部材の一例、（ｂ）は、反射部付きコンタクト部材の他の一例である。
【図８】第４の実施の形態が適用される反射部付きコンタクト部材を説明する図である。（ａ）は、反射部付きコンタクト部材の正面図及び眼球との関係を示す図、（ｂ）は、入射側の反射部群の拡大図である。
【図９】入射側の反射部群における反射部のミラー（反射面）及び出射側の反射部群における反射部のミラー（反射面）の設定方法を説明する図である。
【図１０】第５の実施の形態が適用される反射部付きコンタクト部材の正面図である。（ａ）は、反射部が円形状に設けられた例、（ｂ）は、反射部が楕円形状に設けられた一例、（ｃ）は、反射部が楕円形状に設けられた他の一例である。
【図１１】第６の実施の形態が適用される反射部付きコンタクト部材の正面図である。
【図１２】第７の実施の形態が適用される反射部付きコンタクト部材を説明する図である。
【発明を実施するための形態】
【０００８】
以下、添付図面を参照して、本発明の実施の形態について説明する。
【０００９】
［第１の実施の形態］
（眼球の光計測システム１）
図１は、第１の実施の形態が適用される眼球の光計測システム１の構成の一例を示す図である。図１（ａ）は、眼球１０及び眼球の光計測システム１、図１（ｂ）は、眼球１０に装着される反射部付きコンタクト部材３０の正面図である。なお、正面図とは、図１（ｂ）に示す＋ｙ方向から見た場合の反射部付きコンタクト部材３０の図である。そして、図１（ａ）は、図１（ｂ）のＩＡ−ＩＡ線での断面図である。
眼球の光計測システム１は、眼球１０に向けて光を出射する発光系２１と、眼球１０からの光を受光する受光系２２とを備える光計測装置２０と、眼球１０の角膜上（眼球面）に装着される装着部材（眼球用の装着部材）の一例としての反射部付きコンタクト部材３０とを備える。光計測装置２０における発光系２１が、光出射手段の一例であり、受光系２２が、受光手段の一例である。
【００１０】
図１（ａ）に示すように、人の眼球１０は、外形がほぼ球形であって、中央にガラス体１１がある。そして、レンズの役割をする水晶体１２が、ガラス体１１の一部に埋め込まれている。水晶体１２の外側に、前眼房１３があり、その外側に角膜１４がある。水晶体１２の周辺部は虹彩に囲まれ、その中心が瞳孔１５である。水晶体１２に接する部分を除いて、ガラス体１１は、網膜１６で覆われている。そして、前眼房１３は、眼房水で満たされている。
ここで、図１（ａ）において、＋ｘ方向が顔（眼球１０）の右方向、−ｘ方向が顔（眼球１０）の左方向、＋ｙ方向が顔（眼球１０）の前方向（前方、手前側）、−ｙ方向が顔（眼球１０）の後方向（後方、奥側）、＋ｚ方向が顔（眼球１０）の上方向、−ｚ方向が顔（眼球１０）の下方向とする。図１（ａ）の眼球１０部分は、眼球１０を下方向から見た図である。
【００１１】
図１（ａ）に示すように、光計測装置２０は、発光系２１、受光系２２に加えて、制御部２３と、算出部２４とを備える。発光系２１は、光を出射する発光部２１１と、入射した光から予め定められた直線偏光を取り出す偏光子２１２とを備える。受光系２２は、前眼房１３における眼房水で振動方向が回転した直線偏光の回転角を補償する補償子２２１と、予め定められた偏光角の光を通過させる検光子２２２と、受光した光の強度を電気信号に変換する受光部２２３とを備える。
光計測装置２０について、後に詳述する。
【００１２】
図１（ａ）に示すように、反射部付きコンタクト部材３０は、いわゆるコンタクトレンズと同様の眼球用の部材であって、眼球１０における角膜１４の表面（眼球面）に装着される。なお、眼球１０における角膜１４の表面（眼球面）に装着されることを、以下では、眼球１０に装着されると表現する。
そして、反射部付きコンタクト部材３０は、基体３１と、二つの反射部３３、３４とを備える。二つの反射部３３、３４は、反射部付きコンタクト部材３０が眼球１０の表面に装着された際に、前眼房１３を挟む位置に設けられている。ここでは、反射部３３、３４は、ｘ方向に並んで設けられている。
【００１３】
そして、反射部３３は、光計測装置２０の発光系２１が出射した光を、前眼房１３の眼房水を横切るように反射する。一方、反射部３４は、前眼房１３の眼房水を横切った光を光計測装置２０の受光系２２に入射するように反射する。ここで、反射部３３が、第１の反射部の一例であり、反射部３４が、第２の反射部の一例である。反射部３３、３４は、例えば、平面ミラーで構成される。
【００１４】
なお、図１（ｂ）に示すように、反射部３３、３４は、反射部付きコンタクト部材３０の直径となる線上に配置されているが、直径となる線に平行な線上に配置されていてもよい。例えば、眼瞼下垂患者や高齢者のように、瞼が垂れ下がって上瞼が開けづらい被計測者に対しては、直径となる線上より下瞼に近い側にずれた線上に、反射部３３、３４が配置されている方がよい。このようにすれば、上瞼が開けづらい場合であっても、前眼房１３の眼房水を横切る光路２５が確保しやすくなる。
【００１５】
また、反射部付きコンタクト部材３０の反射部３３、３４は、眼球１０に対して上下方向（ｚ方向）に前眼房１３を挟むように設けられてもよい。さらに、眼球１０に対して斜め方向（左斜め上方から右斜め下方、又は、右斜め上方から左斜め下方）に前眼房１３を挟むように設けられてもよい。反射部付きコンタクト部材３０の反射部３３、３４が眼球１０の左右方向又は斜め方向に設けられると、睫毛の影響を受けにくい。なお、第１の実施の形態（他の実施の形態を含む）において、眼房水を「横切る」とは、眼球１０の上下方向、左右方向及び斜め方向に眼房水を通過するいずれの経路も含み、眼球１０の手前側から奥側に眼房水を通過する経路は含まない。
反射部付きコンタクト部材３０については、後に詳述する。
【００１６】
なお、眼球１０に反射部付きコンタクト部材３０を装着しない場合、眼球１０の左右方向（＋ｘ方向及び−ｘ方向）、すなわち、角膜１４の頂部（ｙ方向の先端部）よりも後方（奥側）に発光系２１及び受光系２２を配置することになる。しかし、このような場合は、鼻などの眼球１０周辺の皮膚が邪魔をして、発光系２１又は受光系２２を配置する空間が確保しづらい。また、仮に空間を確保して発光系２１又は受光系２２を配置できたとしても、発光系２１又は受光系２２が眼球１０に接触しやすい配置となる。
第１の実施の形態では、反射部付きコンタクト部材３０を眼球１０に装着することで、発光系２１及び受光系２２が眼球１０の前方（手前側）に設けられる。すなわち、発光系２１及び受光系２２を設ける空間が確保しやすい。また、発光系２１又は受光系２２を眼球１０から離すことで発光系２１又は受光系２２が眼球１０に接触する可能性が低減される。
【００１７】
光計測装置２０は、反射部付きコンタクト部材３０とは物理的に分離されており、計測時において、反射部付きコンタクト部材３０が装着された眼球１０の前方に位置決めされる。例えば、ヘッドマウントタイプ、眼鏡タイプなどに構成しうる。発光系２１及び受光系２２は、光計測装置２０と反射部付きコンタクト部材３０との間の光路２５が、図１（ｂ）に示すように、ｘ方向に沿った光路となる位置に設けられる。例えば、ｙ方向から見た場合に、発光系２１及び受光系２２が反射部付きコンタクト部材３０の反射部３３及び反射部３４と重なる位置に設けられる。ただし、必ずしもｘ方向に沿った光路である必要はなく、ｘ方向に対して斜めの光路となる位置に発光系２１及び受光系２２が設けられてもよい。
なお、光計測装置２０は、発光系２１と受光系２２とが逆に構成されていてもよい。
【００１８】
（眼球の光計測システム１を用いたグルコース濃度の算出方法）
ここで、前眼房１３における眼房水を計測し、グルコース濃度の算出に眼球の光計測システム１を用いる例を説明する。
糖尿病患者は、血液内のグルコース濃度により、投与するインスリンの量が制御される。よって、糖尿病患者には、血液内のグルコース濃度を常に把握することが求められる。そして、血液中のグルコース濃度の計測は、指先などを注射針で穿刺し、微量な血液を採取する方法によるのが主流である。しかし、微量の血液でも採血時の痛みによる苦痛が伴う。そこで、穿刺などの侵襲式検査法に代わる非侵襲式検査法の要求が高まっている。
血清とほぼ同じ成分である前眼房１３における眼房水にはタンパク質、グルコース、アスコルビン酸等が含まれている。そして、血液中のグルコース濃度と眼房水中のグルコース濃度とは相関関係があることが知られている。さらに、眼房水中には、血液中の細胞物質が存在せず、光散乱の影響が小さい。そして、眼房水に含まれるタンパク質、グルコース、アスコルビン酸等は光学活性物質であって、旋光性を有している。すなわち、眼房水は、旋光性を利用して光学的にグルコースなどの濃度を計測する部位として有利である。
【００１９】
図２は、眼球の光計測システム１によって、前眼房１３における眼房水に含まれる光学活性物質による偏光の回転角（旋光度）を計測する方法を説明する図である。ここでは、原理を説明するため、光路２５を折り曲げない（直線である）として、反射部付きコンタクト部材３０の記載を省略している。
図２には、眼球の光計測システム１において、光計測装置２０における発光系２１の発光部２１１、偏光子２１２、眼球１０における前眼房１３、光計測装置２０における受光系２２の補償子２２１、検光子２２２、受光部２２３のそれぞれの間において、光の進行方向から見た偏光の様子を円内の矢印で示している。
【００２０】
発光部２１１は、発光ダイオード（ＬＥＤ）やランプのような波長幅が広い光源であってもよく、レーザのような波長幅が狭い光源であってもよい。なお、波長幅が狭い方がよい。
また、少なくとも２以上の波長の光を出射するものであってもよい。
【００２１】
偏光子２１２は、例えば、ニコルプリズムなどであって、入射した光の内、予め定められた振動方向の直線偏光を通過させる。
【００２２】
補償子２２１は、例えばガーネット等を用いたファラデー素子などの磁気光学素子であって、磁場によって直線偏光を回転させる。
【００２３】
検光子２２２は、偏光子２１２と同様の部材であって、予め定められた振動方向の直線偏光を通過させる。
受光部２２３は、シリコンダイオードなどの受光素子であって、光の強度に対応したデ電気信号を出力する。
【００２４】
制御部２３は、光計測装置２０における発光系２１、受光系２２などを制御して、前眼房１３の眼房水の特性に関する計測データを得るとともに、計測データを算出部２４に送信する。
【００２５】
算出部２４は、制御部２３から計測データを受信し、眼房水の特性を算出する。
【００２６】
ここでは、発光部２１１は、ランダムな偏光の光を出射するとする。すると、偏光子２１２は、予め定められた直線偏光を通過させる。図２においては、例として、紙面に対して平行な方向に振動する直線偏光が通過するとする。
偏光子２１２を通過した直線偏光は、前眼房１３における眼房水に含まれる光学活性物質により、振動方向が回転する。図２においては、振動方向が角度αＭ（旋光度αＭ）回転するとする。
【００２７】
次に、補償子２２１に磁界を印加することにより、前眼房１３における眼房水に含まれる光学活性物質により回転した振動方向を元に戻す。
そして、検光子２２２を通過した直線偏光を受光部２２３により受光し、光の強度に対応した出力信号に変換する。
【００２８】
ここで、光計測装置２０による旋光度αＭの計測方法の一例を説明する。
まず、発光部２１１から出射した光が前眼房１３を通過しない状態において、発光部２１１、偏光子２１２、補償子２２１、検光子２２２、受光部２２３からなる光計測装置２０において、受光部２２３の出力信号が最小になるように、補償子２２１及び検光子２２２を設定する。図２に示すように、光が前眼房１３を通過しない状態においては、偏光子２１２を通過した直線偏光の振動方向は、検光子２２２を通過する直線偏光の振動方向と直交している。
なお、図２では、偏光子２１２と検光子２２２を通過する前の直線偏光の振動方向が共に、紙面に平行であるとする。しかし、補償子２２１によって予め振動方向が回転する場合には、検光子２２２を通過する前の直線偏光の振動方向が紙面に平行な面から傾いていてもよい。すなわち、光が前眼房１３を通過しない状態において、受光部２２３の出力信号が最小になるように、補償子２２１と検光子２２２とが設定される。
【００２９】
次に、光が前眼房１３を通過する状態とする。すると、前眼房１３における眼房水に含まれる光学活性物質によって、直線偏光の振動方向が回転する。このため、受光部２２３からの出力信号は、最小値から外れる。そこで、受光部２２３からの出力信号が最小になるように、補償子２２１に印加する磁場を設定する。すなわち、補償子２２１により直線偏光の振動方向を回転させ、検光子２２２を通過する直線偏光の振動方向と直交させる。
すなわち、補償子２２１によって回転させた直線偏光の振動方向が、眼房水に含まれる光学活性物質によって発生した旋光度αＭに対応する。補償子２２１に印加した磁場の大きさと回転した直線偏光の振動方向の角度との関係は、事前に知られているので、補償子２２１に印加した磁場の大きさから、旋光度αＭが分かる。
なお、旋光度αＭを求める方法として補償子２２１を用いた例を述べたが、補償子２２１以外により旋光度αＭを求めてもよい。また、図１（ａ）、図２では、直線偏光の振動方向の回転角（旋光度αＭ）を測定する最も基本的な測定法である直交偏光子法（ただし補償子２２１を使用）について示したが、回転検光子法やファラデー変調法、光学遅延変調法といった他の測定方法を適用してもよい。
【００３０】
さらに具体的には、発光部２１１から前眼房１３の眼房水に複数の波長λ（波長λ１、λ２、λ３、…）の光を入射し、それぞれに対して旋光度αＭ（旋光度αＭ１、αＭ２、αＭ３、…）を求める。これらの波長λと旋光度αＭとの組が、算出部２４に取り込まれ、求めたい光学活性物質の濃度が算出される。
【００３１】
なお、眼房水には、前述したように複数の光学活性物質が含まれている。よって、計測された旋光度αＭは、複数の光学活性物質それぞれによる旋光度αの和である。そこで、計測された旋光度αＭから、求めたい光学活性物質の濃度を算出することが必要となる。
求めたい光学活性物質の濃度の算出は、例えば、特開平０９−１３８２３１号公報に開示されているような公知の方法を用いればよいので、説明を省略する。
【００３２】
（反射部付きコンタクト部材３０）
図３は、第１の実施の形態の眼球の光計測システム１における反射部付きコンタクト部材３０の反射部３３、３４を説明する断面図である。図３（ａ）は、封止されていない反射部３３、図３（ｂ）は、表面が平坦に封止された反射部３３、図３（ｃ）は、入射光に対して垂直な面で封止された反射部３３である。
なお、図３（ａ）、（ｂ）、（ｃ）は、図１（ａ）に示す反射部３３を示すが、反射部３４も同様である。
【００３３】
反射部付きコンタクト部材３０は、前述したように基体３１と反射部３３、３４とを備える。基体３１は、眼球１０の角膜１４に沿うことができるように、外形が大略円形で、内側が凹状、外側が凸状になっている。基体３１は、例えば、ポリヒドロキシエチルメタクリレート、ポリメチルメタクリレート、シリコーン共重合体、フッ素含有化合物などの樹脂である。基体３１の屈折率が、眼球１０における前眼房１３の眼房水、角膜１４などの屈折率に近いと、反射部付きコンタクト部材３０と眼球１０との間の界面での屈折が抑制され、光路２５の設定が容易になる。なお、基体３１は、円形である必要はなく、角膜１４に装着できる構成であれば、矩形等、他の形状であってもよい。
【００３４】
図３（ａ）に示す反射部付きコンタクト部材３０は、基体３１に設けられた切欠き部３３ａに反射面としてのミラー３３ｂが設けられている。そして、切欠き部３３ａは封止される（埋め込まれる）ことなく、ミラー３３ｂがむき出しになっている。
ここで、ミラー３３ｂは、空気と樹脂で構成された基体３１との間の屈折率差による反射を利用して構成したものであってもよく、金やアルミニウムなどの金属材料や誘電体多層膜などを用いて構成してもよい。ミラー３３ｂとして、金やアルミニウムなどによる金属材料（金属面）を用いると反射率が高まる。
なお、ミラー３３ｂを空気と樹脂で構成された基体３１との間の屈折率差による反射を利用して構成する場合、ミラー３３ｂは、基体３１の切欠き部３３ａの一部である。
【００３５】
図３（ｂ）の反射部付きコンタクト部材３０は、基体３１に設けられた切欠き部３３ａにミラー３３ｂが設けられた後、基体３１と同様な屈折率の材料による封止部材３３ｃにより、切欠き部３３ａが封止され（埋め込まれ）ている。そして、反射部付きコンタクト部材３０の表面は、封止部材３３ｃにより滑らかに封止（構成）されている。よって、切欠き部３３ａにごみが侵入することが抑制される。
この場合、ミラー３３ｂに空気と基体３１との間の屈折率差を利用しにくいため、ミラー３３ｂには、金属材料や誘電体多層膜を用いることがよい。
【００３６】
図３（ｃ）の反射部付きコンタクト部材３０は、基体３１に設けられた切欠き部３３ａにミラー３３ｂが設けられた後、基体３１と同様な屈折率の材料による封止部材３３ｃにより、切欠き部３３ａが封止され（埋め込まれ）ている。ただし、封止部材３３ｃの表面は、入射光（−ｚ方向に進行する）に対して垂直になるように封止（構成）されている。よって、入射光は、屈折しないでミラー３３ｂに入射する。よって、光路２５の設定が容易になる。
この場合も、ミラー３３ｂに空気と基体３１との間の屈折率差を利用しにくいため、ミラー３３ｂには、金属材料や誘電体多層膜を用いることがよい。
【００３７】
また、ミラー３３ｂの反射面は、上下方向（±ｚ方向）において平坦であってもよく、反射部付きコンタクト部材３０の表面形状に沿って曲がっていてもよい。反射部付きコンタクト部材３０の表面形状に沿って曲がっていることにより、入射光のミラー３３ｂへの入射点が±ｚ方向においてずれが生じた場合でも、前眼房１３に入射させられる。
【００３８】
ここでは、光が入射する側の反射部３３で説明したが、光が出射する側の反射部３４も同様である。反射部３４では、切欠き部３４ａ、ミラー３４ｂ、封止部材３４ｃである。
【００３９】
なお、反射部３３のミラー３３ｂ、反射部３４のミラー３４ｂのそれぞれの反射面の面積（入射する光を反射する面積）は、入射する光の径（ビーム径）より大きくても小さくてもよい。ただし、入射する光の径（ビーム径）より大きくし、ビーム径を包含するようにすれば、光の一部が反射面から外れることが抑制されて、前眼房１３の眼房水を通過する光量が少なくなることが抑制される。
【００４０】
（反射部付きコンタクト部材３０の製造方法）
図４は、反射部付きコンタクト部材３０の製造方法を説明する図である。図４（ａ）は、スピンキャスト法（遠心成型法）による製造方法、図４（ｂ）は、モールド法（鋳型法）による製造方法を説明する図である。
【００４１】
反射部付きコンタクト部材３０の基体３１の材料は、例えば、ポリヒドロキシエチルメタクリレート、ポリメチルメタクリレート、シリコーン共重合体、フッ素含有化合物などの樹脂である。
【００４２】
図４（ａ）に示すスピンキャスト法による製造方法では、反射部付きコンタクト部材３０の外側の表面形状（＋ｙ方向の表面形状）に対応する凹部５１を備えた型５０を用いる。図４（ａ）は、型５０の断面図である。そして、型５０の凹部５１には、反射部３３、３４が形成される切欠き部３３ａ、３４ａに相当する突起５３、５４が設けられている。
そして、型５０を回転させながら、凹部５１に反射部付きコンタクト部材３０の基体３１を構成する材料と触媒とを投入する。すると、凹部５１の形状により、反射部付きコンタクト部材３０の外側の表面形状が設定される。そして、突起５３、５４の形状が切欠き部３３ａ、３４ａとして転写される。また、型５０の回転による遠心力により、反射部付きコンタクト部材３０の内側の表面形状が設定される。そして、添加された触媒によって基体３１を構成する材料の重合が行われ、ポリヒドロキシエチルメタクリレート、ポリメチルメタクリレート、シリコーン共重合体、フッ素含有化合物などの樹脂による基体３１が製造される。
なお、重合は、触媒を添加する代わりに、加熱によって行ってもよく、触媒の添加と加熱とを併用してもよい。
【００４３】
これにより、図３（ａ）で説明したように、反射部付きコンタクト部材３０の基体３１における切欠き部３３ａ、３４ａに、空気との間の屈折率差によるミラー３３ｂ、３４ｂが形成される。
一方、形成された基体３１の切欠き部３３ａ、３４ｂのミラー３３ｂ、３４ｂとして、金やアルミニウムなどの金属材料の膜や誘電体多層膜を形成してもよい。この場合、切欠き部３３ａ、３４ａのミラー３３ｂ、３４ｂの部分以外を覆った状態で、金やアルミニウムなどの金属材料や誘電体多層膜を真空蒸着すればよい。
【００４４】
図４（ｂ）に示すモールド法による製造方法では、反射部付きコンタクト部材３０の外側の表面形状（＋ｙ方向の表面形状）に対応する凹部６２を備えた雌型６１と、反射部付きコンタクト部材３０の内側の表面形状（−ｙ方向の表面形状）に対応する凸部６６を備えた雄型６５とを用いる。図４（ｂ）は、雌型６１及び雄型６５の断面図である。そして、雌型６１の凹部６２には、反射部３３、３４が形成される切欠き部３３ａ、３４ａに相当する突起６３、６４が設けられている。
【００４５】
雌型６１の凹部６２に、反射部付きコンタクト部材３０の基体３１を構成する材料と触媒とを投入したのち、雄型６５の凸部６６を雌型６１の凹部６２に押し当てる。すると、添加された触媒によって基体３１を構成する材料の重合が行われ、ポリヒドロキシエチルメタクリレート、ポリメチルメタクリレート、シリコーン共重合体、フッ素含有化合物などの樹脂による基体３１が製造される。
なお、重合は、触媒を添加する代わりに、加熱によって行ってもよく、触媒の添加と加熱とを併用してもよい。
金やアルミニウムなどの金属材料や誘電体多層膜によるミラー３３ｂ、３４ｂについては、図４（ａ）で説明したスピンキャスト法と同様である。
【００４６】
図５は、反射部付きコンタクト部材３０の転写法による製造方法を説明する図である。図５（ａ）は、型５０′上に転写シート５６を設置した状態、図５（ｂ）は、転写シート５６を型５０′に貼り付けた状態である。
図５（ａ）、（ｂ）に示す転写法による製造方法では、反射部付きコンタクト部材３０の基体３１の製造とともに、金やアルミニウムなどの金属材料や誘電体多層膜によるミラー３３ｂ、３４ｂを切欠き部３３ａ、３４ａに転写する。ここでは、スピンキャスト法の型５０又はモールド法の雌型６１、雄型６５を用いる。なお、転写法では、これらの型５０、雌型６１に、真空吸引口が設けられている。
図５（ａ）、（ｂ）は、スピンキャスト法で用いた型５０と同様の型５０′で説明する。型５０′の凹部５１には、反射部３３、３４が形成される切欠き部３３ａ、３４ａに相当する突起５３、５４が設けられている。なお、図４（ａ）で説明したスピンキャスト法と異なり、型５０′には、真空吸引口５５（図５（ａ）、（ｂ）では、３本）が設けられている。
そして、ミラー３３ｂ、３４ｂとなる金やアルミニウムなどの金属材料又は誘電体多層膜などを設けた転写シート５６を用いる。
【００４７】
まず、図５（ａ）に示すように、転写シート５６を型５０′上に配置する。そして、図５（ｂ）に示すように、転写シート５６を加熱しながら、真空吸引口５５から型５０′の凹部５１を減圧する。すると、転写シート５６は、延伸されて、ミラー３３ｂ、３４ｂとなる金やアルミニウムなどの金属材料又は誘電体多層膜などが、突起５３、５４上に転写シート５６とともに貼り付けられる。
【００４８】
その後、図４（ａ）で説明したスピンキャスト法と同様に、型５０′を回転させながら、凹部５１に反射部付きコンタクト部材３０の基体３１を構成する材料と触媒とを投入する。すると、凹部５１の表面形状により、反射部付きコンタクト部材３０の外側の表面形状が設定される。そして、突起５３、５４の形状が切欠き部３３ａ、３４ａとして転写される。また、型５０′の回転による遠心力により、反射部付きコンタクト部材３０の内側の表面形状が設定される。
【００４９】
その後、転写シート５６が付いた状態で、型５０′から反射部付きコンタクト部材３０を取り出す。そして、転写シート５６を除去することで、ミラー３３ｂ、３４ｂが設けられた反射部付きコンタクト部材３０が得られる。
【００５０】
転写シート５６は、金属材料や誘電体多層膜によるミラー３３ｂ、３４ｂを支持し、転写後に剥離除去される。転写シート５６は、ポリエステル、ポリプロピレン、ポリエチレンなどのプラスチックフィルムがよい。合成紙や天然パルプ紙などでもよい。
なお、転写シート５６からミラー３３ｂ、３４ｂを剥離しやすくするために、転写シート５６とミラー３３ｂ、３４ｂとの間に離形層を設けてもよい。離形層の材料としては、メラニン、シリコーン、フッ素、セルロースなどの樹脂が挙げられる。
【００５１】
図５（ａ）、（ｂ）において、モールド法を用いても同様である。
【００５２】
なお、図５（ａ）、（ｂ）に示した型５０′に突起５３、５４を設けなくとも、転写シート５６に、ミラー３３ｂ、３４ｂとなる金属部材や誘電体多層部材などを設けてもよい。
なお、この金属部材や誘電体多層部材などは、転写後に反射面となるように、転写シート５６から浮き上がるように設けられている。例えば、反射面を斜めに保持するように、側面に三角形状の支持部などが設けられていてもよい。
この場合、ミラー３３ｂ、３４ｂの周囲が反射部付きコンタクト部材３０の基体３１で埋め込まれるので、反射部付きコンタクト部材３０は、図３（ｂ）に示した形状となる。
【００５３】
上記の他に、レースカット法（切削研磨法）で、棒状の部材から切り出し、研磨して反射部付きコンタクト部材３０の基体３１の外形を形成し、その後、切欠き部３３ａ、３４ａを形成してもよい。この後、金属材料や誘電体多層膜によるミラー３３ｂ、３４ｂを設けてもよい。
【００５４】
切欠き部３３ａ、３４ａを封止する（埋め込む）封止部材３３ｃ、３４ｃ（図３（ｂ）、（ｃ）参照）の材料は、基体３１に用いた材料から選択してもよく、他の材料でもよい。そして、封止部材３３ｃ、３４ｃの切欠き部３３ａ、３４ａへの封止（埋め込み）は、印刷法、ロールコート法、スプレーコート法などによればよい。なお、印刷法としては、グラビア印刷法、スクリーン印刷法などを用いうる。
【００５５】
［第２の実施の形態］
第１の実施の形態では、反射部付きコンタクト部材３０は、入射側の反射部３３と出射側の反射部３４とを備えていた。これにより、光計測装置２０の発光系２１、受光系２２を設ける空間が、眼球１０の手前側（＋ｙ方向）に確保された。
しかし、顔の鼻側に比べ、耳側には空間があって、光計測装置２０の発光系２１と受光系２２とのいずれか一方を配置してもよい。
第２の実施の形態の眼球の光計測システム１では、耳側の空間に光計測装置２０の発光系２１と受光系２２とのいずれか一方を配置する。
反射部付きコンタクト部材３０の構成と、光路の設定方法が異なる他は、第１の実施の形態と同様である。以下では、同様の部分の説明を省略して、異なる部分を説明する。
【００５６】
図６は、第２の実施の形態が適用される反射部付きコンタクト部材３０と光路２５とを説明する図である。図６（ａ）は、反射部付きコンタクト部材３０の正面図、図６（ｂ）は、光路２５の設定方法の一例、図６（ｃ）は、光路２５の他の設定方法の一例である。
ここでは、眼球１０は右目であるとして説明するが、左目の場合は、左右を逆にすればよい。
【００５７】
図６（ａ）に示すように、反射部付きコンタクト部材３０には、一つの反射部３３又は反射部３４が設けられている。
【００５８】
図６（ｂ）では、光路２５が、反射部付きコンタクト部材３０の反射部３３に入射する向きに設定されている。そして、反射部３３で反射した光が、反射部付きコンタクト部材３０から前眼房１３の眼房水を通過し、再び反射部付きコンタクト部材３０に入射する。そして、反射部付きコンタクト部材３０と空気との界面で屈折して、出射する。ここでは、発光系２１（図１（ａ）参照）が眼球１０の前方に設けられ、受光系２２（図１（ａ）参照）が耳側に設けられている。
【００５９】
図６（ｃ）では、光路２５が、反射部付きコンタクト部材３０の反射部３４から光が出射する向きに設定されている。すなわち、光は、耳側から反射部付きコンタクト部材３０に入射し、前眼房１３の眼房水を通過し、反射部付きコンタクト部材３０の反射部３４で反射して、出射する。すなわち、発光系２１（図１（ａ）参照）が耳側に設けられ、受光系２２（図１（ａ）参照）が眼球１０の前方に設けられている。
【００６０】
反射部付きコンタクト部材３０の反射部３３又は反射部３４のように、反射部が一つであると、光路２５の設定が容易になる。
なお、第１の実施の形態と同様に、反射部３３の切欠き部３３ａに封止部材３３ｃが、又、反射部３４の切欠き部３４ａに封止部材３４ｃが設けられていてもよい。
【００６１】
［第３の実施の形態］
第１の実施の形態が適用される反射部付きコンタクト部材３０は、入射側は、一つのミラー３３ｂを有する反射部３３を、出射側は、一つのミラー３４ｂを有する反射部３４を備えていた。
このような反射部付きコンタクト部材３０は、眼球１０に装着した際、眼球１０の中心を軸として回転するおそれがある。また、角膜１４の形状に依存して、入射側の反射部３３に光を入射しても、出射側の反射部３４から光が出射しないことがありうる。すなわち、図１（ａ）に示したような光路２５が設定しづらいことがありうる。
そこで、第３の実施の形態が適用される反射部付きコンタクト部材３０では、反射部付きコンタクト部材３０が眼球１０の中心を軸として回転することを許容するとともに、光路２５を設定しやすくしている。
反射部付きコンタクト部材３０の構成が異なる他は、第１の実施の形態と同様である。以下では、同様の部分の説明を省略して、異なる部分を説明する。
【００６２】
図７は、第３の実施の形態が適用される反射部付きコンタクト部材３０の正面図である。図７（ａ）は、反射部付きコンタクト部材３０の一例、図７（ｂ）は、反射部付きコンタクト部材３０の他の一例である。ここでは、図７（ａ）、（ｂ）において、左側が、発光系２１（図１（ａ）参照）から光が入射する入射側、右側が、受光系２２（図１（ａ）参照）に光が出射する出射側として説明する。
【００６３】
図７（ａ）に示す一例では、反射部付きコンタクト部材３０は、外形が円形である。そして、入射側には、円形の反射部付きコンタクト部材３０の中心を同心の軸とする円弧状に、複数の反射部３３１、３３２が設けられている。また、出射側には、円形の反射部付きコンタクト部材３０の中心を同心の軸とする円弧状の複数の反射部３４１〜３４３が設けられている。すなわち、入射側の反射部３３は、反射部３３１、３３２を備え、出射側の反射部３４は、反射部３４１〜３４３を備える。つまり、入射側の反射部３３及び出射側の反射部３４は、反射部を群で備えているといえる。そこで、反射部を群で備える入射側の反射部３３と出射側の反射部３４とを、それぞれ反射部群３３と反射部群３４と読み替える。他の実施の形態においても、同様とする。この場合、反射部群３３が、第１の反射部の一例であり、反射部群３４が、第２の反射部の一例である。
【００６４】
そして、図７（ａ）では、入射側の反射部群３３を構成する反射部３３１に光の入射点ＩＮが、出射側の反射部群３４を構成する反射部３４２に光の出射点ＯＵＴが表記されている。なお、反射部付きコンタクト部材３０上での光の径と反射部（反射部３３１、３３２又は反射部３４１〜３４３）との大きさ関係は、図７（ａ）に示すように、一つの反射部（反射部３３１及び反射部３４２）に光の径が包含される関係であってもよいし、光の径が一つの反射部の幅よりも大きく、例えば、複数の反射部に跨る大きさであってもよい。
そして、反射部３３１、３３２、反射部３４１〜３４３の構成は、図３（ａ）、（ｂ）、（ｃ）に示したいずれであってもよい。
【００６５】
第３の実施の形態が適用される反射部付きコンタクト部材３０では、反射部３３１、３３２、３４１〜３４３の形状を円弧状とすることで、反射部付きコンタクト部材３０が眼球の中心を軸として回転が許容される。
また、入射側の反射部群３３は、反射部付きコンタクト部材３０の直径方向に分離された複数の反射部３３１、３３２で構成されている。すなわち、反射部付きコンタクト部材３０の直径方向の曲面形状に沿って反射面の面積が拡大された構成となっている。よって、光の入射点ＩＮの位置が反射部付きコンタクト部材３０の直径方向にずれた場合であっても、一つの反射部のみの構成と比較し、光を光路２５の方向に反射しやすくなっている。
また、出射側の反射部群３４も同様に、反射部付きコンタクト部材３０の直径方向に分離された複数の反射部３４１〜３４３で構成されている。よって、被計測者の個人差や日内変動に伴い角膜１４の形状が変化し、反射された光の角度（光路２５）が所望の方向からずれた場合であっても、受光系２２に向けて光を反射しやすくなっている。例えば、反射部付きコンタクト部材３０の出射点ＯＵＴが、反射部３４２から反射部３４１又は反射部３４３に移動しても、受光系２２に向けて光が反射される。
【００６６】
ここでは、入射側の反射部群３３に２つの反射部３３１、３３２を設け、出射側の反射部群３４に３つの反射部３４１〜３４３を設けた。すなわち、出射側の方が反射部の数が多く、広い面積の反射面を有している。これは、出射側では、角膜１４の形状などの影響を受けて反射された光の角度（光路２５）がずれるおそれがある分だけ、入射側よりも、より光路２５のばらつきを考慮する必要があるためである。
なお、入射側の反射部群３３及び出射側の反射部群３４に設ける反射部の数は、上記の数に限定されない。
【００６７】
図７（ｂ）に示す他の一例では、図７（ａ）に示した反射部付きコンタクト部材３０の反射部群３３における反射部３３１、３３２、反射部群３４における反射部３４１〜３４３がそれぞれ３分割されている。他の構成は、図７（ａ）と同様であるので、説明を省略する。なお、３分割でなくともよい。
反射部３３１、３３２、反射部３４１〜３４３がそれぞれ３分割されても、円弧状に並んでいるので、反射部付きコンタクト部材３０の眼球１０の中心を軸とする回転が許容される。
また、入射側の反射部群３３及び出射側の反射部群３４に、複数の反射部を設けたことで、例えば、角膜１４の形状などの影響を受けて反射された光の角度（光路２５）がずれて設定されても、発光系２１から入射した光が受光系２２に出射されうる。
【００６８】
なお、第１の実施の形態及び第２の実施の形態が適用される反射部付きコンタクト部材３０の反射部３３、３４の形状を、第３の実施の形態が適用される反射部付きコンタクト部材３０の反射部と同様に円弧状にしてもよい。
【００６９】
［第４の実施の形態］
第３の実施の形態が適用される反射部付きコンタクト部材３０は、図７（ａ）に示したように、入射側の反射部群３３における反射部３３１、３３２、出射側の反射部群３４における反射部３４１〜３４３が、反射部間で互いに隙間を設けて配列されていた。
第４の実施の形態が適用される反射部付きコンタクト部材３０では、入射側の反射部群３３における複数の反射部、出射側の反射部群３４における複数の反射部が、ｙ方向からみて隙間なく配列されている。
反射部付きコンタクト部材３０の構成が異なる他は、第３の実施の形態と同様である。以下では、同様の部分の説明を省略して、異なる部分を説明する。
【００７０】
図８は、第４の実施の形態が適用される反射部付きコンタクト部材３０を説明する図である。図８（ａ）は、反射部付きコンタクト部材３０の正面図及び眼球１０との関係を示す図、図８（ｂ）は、入射側の反射部群３３の拡大図である。図８（ａ）において、左側が、発光系２１（図１（ａ）参照）から光が入射する入射側、右側が、受光系２２（図１（ａ）参照）に光が出射する出射側として説明する。
【００７１】
図８（ａ）の上側の正面図に示すように、第４の実施の形態が適用される反射部付きコンタクト部材３０は、入射側に反射部３３１、３３２を有する反射部群３３と、出射側に反射部３４１〜３４５を有する反射部群３４を備えている。反射部３３１、３３２、反射部３４１〜３４５は、外形が円形の反射部付きコンタクト部材３０の中心を軸とする同心の円弧状である。そして、入射側の反射部群３３における反射部３３１、３３２、及び、出射側の反射部群３４における反射部３４１〜３４５は、＋ｙ軸方向から見た場合に、隙間がないように配置されている。
図８（ａ）では、入射側の反射部群３３における反射部３３２に入射点ＩＮが、出射側の反射部群３４における反射部３４２と反射部３４３とにまたがって出射点ＯＵＴが設けられている。
なお、反射部３３１、３３２、反射部３４１〜３４５の構成は、図３（ａ）、（ｂ）、（ｃ）に示したいずれであってもよい。
【００７２】
ここでは、光の径が反射部３３１、３３２、反射部３４１〜３４５のそれぞれのミラーの大きさより大きい場合であっても、複数の反射部のミラーにより反射しうる。よって、単一の反射部の場合より、光をロスすることなく、効率よく反射させうる。すなわち、複数の反射部で構成することで、実効的な反射面（ミラー）の面積が拡大される。
【００７３】
また、＋ｙ軸方向から見た場合に、入射側の反射部群３３の反射部３３１、３３２を隙間なく配置することで、発光部２１１にコヒーレント性が高いレーザ光を用いたとしても、レーザ光が眼球１０内部に侵入して網膜１６に照射されることが抑制される。
同様に、＋ｙ軸方向から見た場合に、出射側の反射部群３４の反射部３４１〜３４５を隙間なく配置することで、例え、前眼房１３を通過した光が複数の反射部にまたがって反射する場合であっても、反射光は、径が広がることなく受光系２２に向けて出射される。
【００７４】
そして、第３の実施の形態が適用される反射部付きコンタクト部材３０と同様に、第４の実施の形態が適用される反射部付きコンタクト部材３０では、反射部３３１、３３２、３４１〜３４５の形状を円弧状とすることで、反射部付きコンタクト部材３０が眼球の中心を軸として回転が許容される。
また、入射側及び出射側に、複数の反射部（入射側に反射部３３１、３３２、出射側に反射部３４１〜３４５）を設けたことで、例えば、角膜１４の形状などの影響を受けて反射された光の角度（光路２５）がずれて設定されても、発光系２１から入射した光が受光系２２に出射されうる。
【００７５】
なお、入射側の反射部群３３において、複数の反射部を＋ｙ方向から見た場合に隙間なく配置する際、一つの反射部で反射した光は、一部であっても他の反射部で遮蔽されない（切られない）ことがよい。もし、他の反射部によって一部でも遮蔽される（切られる）と、光量が低下し、測定が不能又は精度の低下をもたらすおそれがある。
【００７６】
図８（ｂ）の入射側の反射部群３３における反射部３３１、３３２の拡大図において、反射部３３１に注目して、入射側の反射部群３３における反射部３３１に設けられるミラー３３１ｂの配置を検討する。
発光系２１（図１（ａ）参照）からの入射光αを、反射部３３１に設けられるミラー３３１ｂで前眼房１３に向けて反射させるとする。ここでは、反射光α′は、図８（ｂ）の枠線に平行に左から右に進むとする。この時、ミラー３３１ｂの左端への入射光βが、反射部３３２に設けられるミラー３３２ｂで遮られないことが求められる。このため、ミラー３３２ｂの右端は、反射光β′を遮らない（切らない）ように設定される。
なお、ミラー３３２ｂの右端への入射光γに対する反射光γ′は、反射光β′と同じ方向に反射されるように設定される。
【００７７】
なお、ミラー３３１ｂがｙ軸となす角度とミラー３３２ｂがｙ軸となす角度とは、同じであってもよく、異なっていてもよい。例えば、図３（ｂ）に示したように、反射部付きコンタクト部材３０の表面を平滑になるように封止部材３３ｃを設けた場合には、表面形状の曲面の影響を受けることから、ミラー３３１ｂ、３３２ｂのそれぞれのｙ軸に対する角度を異ならせてもよい。
【００７８】
ここでは、詳述しないが、出射側の反射部群３４における反射部３４１〜３４５のミラー（図示しないミラー３４１ｂ〜３４５ｂ）についても、同様の考察により、一つの反射部で反射した光が他の反射部で遮蔽され（切られ）ないように設定される。
【００７９】
図９は、入射側の反射部群３３における反射部のミラー（反射面）及び出射側の反射部群３４における反射部のミラー（反射面）の設定方法を説明する図である。
図９に示すように、−ｙ方向に頂点を有する円錐を想定し、円錐の底面に平行な二つの面で切り取られる円錐面の一部により、入射側の反射部群３３における反射部３３１のミラー３３１ｂ（反射面）及び出射側の反射部群３４における反射部３４２のミラー３４２ｂ（反射面）が構成されている。この場合、ミラー３３１ｂとミラー３４２ｂとは、ｙ軸からの距離が等しい円弧を辺とする扇型になる。なお、ミラー３３１ｂとミラー３４２ｂとは、ｙ軸から等しい円弧を辺としなくともよい。
【００８０】
他の反射部３３２、３４１、３４３〜３４５のそれぞれのミラー３３２ｂ、３４１ｂ、３４３ｂ〜３４５ｂは、相似形の円錐から構成してもよく、円錐頂角が異なる円錐から構成してもよい。円錐頂角が異なる円錐を想定して、ミラー３３１ｂ、３３２ｂ及びミラー３４１ｂ〜３４５ｂを構成することで、それぞれのｙ軸に対する角度を異ならせることができる。このようにｙ軸に対して異なる角度のミラーを形成することで、角膜形状が変動してミラーにおける反射角度が設計値から外れても、他の角度のミラーに光を入射することで、前眼房１３を横切るとともに受光系２２で受光できる光路を確保しやすくなる。例えば、ミラー３３１ｂに光を入射した結果、所望の光路から外れて受光系２２に光が到達しなかった場合、次に、角度の異なるミラー３３２ｂに光を入射するように光計測装置２０を動作させることで、所望の光路を通って受光系２２に光が到達する可能性が高められる。
また、ｙ軸に対して異なる角度のミラーを形成する設定方法として、円錐を想定した構成だけでなく、−ｙ方向に頂点を有する楕円錐を想定して、楕円錐の底面に平行な二つの面で切り取られる楕円錐面の一部によって構成してもよい。楕円錐面では、楕円錐面上の円周方向の位置によってｙ軸に対する角度が異なるため、角度が徐々に変化するミラーを連続した面として形成できる。このようにすれば、複数のミラーを設けなくとも、一つのミラーで異なる角度に光を反射させることができる。
なお、本構成は図９に示す反射部群３３、３４における反射部３３１、３３２、３４１〜３４５の構成だけでなく、図７（ａ）や図７（ｂ）に示す構成にも適用できる。
【００８１】
［第５の実施の形態］
第４の実施の形態が適用される反射部付きコンタクト部材３０は、入射側の反射部群３３を構成する複数の反射部と、出射側の反射部群３４を構成する複数の反射部とを備えていた。
第５の実施の形態が適用される反射部付きコンタクト部材３０は、反射部群３３を構成する反射部と、出射側の反射部群３４を構成する反射部とが分離されていない。
反射部付きコンタクト部材３０の構成が異なる他は、第３の実施の形態と同様である。以下では、同様の部分の説明を省略して、異なる部分を説明する。
【００８２】
図１０は、第５の実施の形態が適用される反射部付きコンタクト部材３０の正面図である。図１０（ａ）は、反射部３５１〜３５４が円形状に設けられた例、図１０（ｂ）は、反射部３５１〜３５５が楕円形状に設けられた一例、図１０（ｃ）は、反射部３５１〜３５４が楕円形状に設けられた他の一例である。図１０（ａ）、（ｂ）、（ｃ）において、左側が、発光系２１（図１（ａ）参照）から光が入射する入射側、右側が、受光系２２（図１（ａ）参照）に光が出射する出射側として説明する。
【００８３】
図１０（ａ）に示す反射部付きコンタクト部材３０では反射部３５１〜３５４は、円形の外形の反射部付きコンタクト部材３０の中心を軸とする同心の円形状に設けられている。そして、反射部３５１〜３５４において、左側の部分が、入射側の反射部群３３、右側の部分が、出射側の反射部群３４として機能する。すなわち、反射部３５１〜３５４は、それぞれが連続している。
図１０（ａ）では、一例として、反射部３５２の左側に入射点ＩＮが、反射部３５２の右側に出射点ＯＵＴがある。
図１０（ａ）に示す反射部付きコンタクト部材３０では、入射側と出射側との区別がないため、反射部付きコンタクト部材３０の装着において、向きを設定することを要しない。このため、反射部付きコンタクト部材３０が眼球１０の中心を軸として回転した場合であっても、光の入射点ＩＮが反射部３５１〜３５４のいずれかからずれるのが抑制される。
【００８４】
図１０（ｂ）に示す反射部付きコンタクト部材３０では、反射部３５１〜３５５は、円形の反射部付きコンタクト部材３０内に設けられた楕円形状である。なお、反射部３５１〜３５５は、±ｚ方向において隙間が設けられている。そして、反射部３５１〜３５４において、左側の部分が、入射側の反射部群３３、右側の部分が、出射側の反射部群３４として機能する。
なお、図１０（ｂ）では、一例として、反射部３５１の左側に入射点ＩＮが、反射部３５１の右側に出射点ＯＵＴがある。
図１０（ｂ）に示す反射部付きコンタクト部材３０は、装着する方向により、入射点ＩＮと出射点ＯＵＴとの間の距離を変更しうる。よって、反射部付きコンタクト部材３０を変更することなく、大きさが異なる眼球１０や発光系２１と受光系２２との間の距離が異なる光計測装置２０に対応させられる。
【００８５】
図１０（ｃ）に示す反射部付きコンタクト部材３０では、反射部３５１〜３５５は、円形の反射部付きコンタクト部材３０内に設けられた楕円形状である。なお、反射部３５１〜３５４は、互いに隙間なく配列されている。そして、反射部３５１〜３５４において、左側の部分が、入射側の反射部群３３、右側の部分が、出射側の反射部群３４となる。
なお、図１０（ｃ）では、一例として、反射部３５１に入射点ＩＮが、反射部３５１に出射点ＯＵＴがある。
図１０（ｃ）に示す反射部付きコンタクト部材３０は、装着する方向により、入射点ＩＮと出射点ＯＵＴとの間の距離を変更しうる。よって、反射部付きコンタクト部材３０を変更することなく、大きさが異なる眼球１０や発光系２１と受光系２２との間の距離が異なる光計測装置２０に対応させられる。
また、反射部３５１〜３５４間に隙間を設けていないので、入射光が眼球１０の内部に侵入して網膜１６に照射されることが抑制される。
【００８６】
なお、図１０（ａ）、（ｂ）、（ｃ）に記載した反射部付きコンタクト部材３０の反射部（図１０（ａ）における反射部３５１〜３５４など）の構成は、図３（ａ）、（ｂ）、（ｃ）に記載した構成のいずれであってもよく、他の構成であってもよい。また、図１０（ａ）、（ｂ）、（ｃ）に記載した反射部（図１０（ａ）における反射部３５１〜３５４など）のミラーは、図９において説明した設定方法と同様の方法で設定できる。
【００８７】
なお、第１の実施の形態が適用される反射部付きコンタクト部材３０の、入射側の反射部３３と出射側の反射部３４とを円形状又は楕円形状に連結してもよい。
【００８８】
［第６の実施の形態］
第１の実施の形態が適用される反射部付きコンタクト部材３０では、眼球１０に対して予め定められた向きに装着することを要する。そこで、第６の実施の形態が適用される反射部付きコンタクト部材３０では、装着により、反射部付きコンタクト部材３０が予め定められた方向に向くようにしている。
反射部付きコンタクト部材３０の構成が異なる他は、第１の実施の形態と同様である。以下では、同様の部分の説明を省略して、異なる部分を説明する。
【００８９】
図１１は、第６の実施の形態が適用される反射部付きコンタクト部材３０の正面図である。図１１において、左側が、発光系２１（図１（ａ）参照）から光が入射する入射側、右側が、受光系２２（図１（ａ）参照）に光が出射する出射側として説明する。
第６の実施の形態が適用される反射部付きコンタクト部材３０は、第１の実施の形態と同様に、基体３１、入射側の反射部３３、出射側の反射部３４を備える。
【００９０】
そして、基体３１は、ｚ方向の上側に厚みが薄い領域Ｉを備え、ｚ方向の下側に厚みが厚い領域ＩＩを備える。
これにより、装着した際に、厚みが厚い領域ＩＩが“おもり”となって、反射部付きコンタクト部材３０は、中心を軸とした回転方向に沿って回転し、予め定められた向きとなる。よって、装着毎に同じ向きとなり装着しやすい。
【００９１】
このような反射部付きコンタクト部材３０は、前述したスピンキャスト法における型５０、モールド法における雌型６１、雄型６５の形状を変更することで製造しうる。
【００９２】
なお、第２の実施の形態、第３の実施の形態、第４の実施の形態などが適用される反射部付きコンタクト部材３０に、第６の実施の形態を適用してもよい。
【００９３】
［第７の実施の形態］
第７の実施の形態では、第１の実施の形態が適用される反射部付きコンタクト部材３０の表面に遮光膜を形成した遮光領域を設ける。
反射部付きコンタクト部材３０の構成が異なる他は、第１の実施の形態と同様である。以下では、同様の部分の説明を省略して、異なる部分を説明する。
【００９４】
図１２は、第７の実施の形態が適用される反射部付きコンタクト部材３０を説明する図である。図１２では、反射部付きコンタクト部材３０の正面図及び眼球１０との関係を示す。図１２において、左側が、発光系２１（図１（ａ）参照）から光が入射する入射側、右側が、受光系２２（図１（ａ）参照）に光が出射する出射側として説明する。
【００９５】
第７の実施の形態が適用される反射部付きコンタクト部材３０は、第１の実施の形態と同様に、基体３１、入射側の反射部３３、出射側の反射部３４を備える。
【００９６】
光計測装置２０の発光部２１１（図１（ａ）参照）にコヒーレント性が高いレーザを用いて、眼球１０の前方（＋ｙ方向）から光を入射させる場合、レーザ光が、入射側の反射部３３が形成された領域等の反射部付きコンタクト部材３０上の予め定められた領域から外れて照射されないようにする。レーザ光が予め定められた領域から外れた場合、眼球１０の想定外の領域が照射される可能性があるためである。そこで、第７の実施の形態においては、反射部付きコンタクト部材３０の予め定められた入射領域及び出射領域以外の表面に遮光膜３６を形成した遮光領域を設ける。
反射部付きコンタクト部材３０の表面に遮光膜３６を形成した遮光領域を設けることにより、測定の際に眼球１０が動いた場合などにおいて、レーザ光が眼球１０の想定外の領域に照射されることが抑制される。例えば、レーザ光の照射位置が所望の領域からずれてもレーザ光が眼球１０の内部に侵入して網膜１６に照射される可能性がより抑制される。
なお、瞳孔に対応する部分に遮光膜３６を設けないようにして、被計測者の視野を確保している。
遮光膜３６は、レーザ光を反射又は吸収等することで遮光するものであり、例えば、金属膜や黒色の膜で構成される。なお、遮光膜３６は、瞳孔の少なくとも一部を覆うように設けられてもよく、被計測者の視野の確保が必要ない場合は、瞳孔を全部覆うように設けられてもよい。
【００９７】
このような遮光膜３６は、前述した印刷法、ロールコート法又はスプレーコート法などで形成される。
【００９８】
また、遮光膜３６を反射部付きコンタクト部材３０の基体３１の内側（−ｙ方向側）及び外側（＋ｙ方向側）の表面の少なくとも一方に設けられていればよく、さらには、遮光すべき基体３１の部分を遮光性の材料（樹脂等）で構成してもよい。また、レーザ光を完全に遮光する必要はなく、無色透明の材料で基体３１を構成した場合と比較して遮光がされていればよい。
【００９９】
なお、上述した他の実施の形態が適用される反射部付きコンタクト部材３０に、第７の実施の形態を適用してもよい。
【０１００】
上記の説明において、眼球の光計測システム１は、眼房水に含まれる求めたい光学活性物質の濃度を計測するとして説明したが、眼房水の他の特性を計測するように構成してもよい。
また、眼房水に関する特性のみならず、光路２５に存在する角膜等に関する特性を求めるために第１の実施の形態から第７の実施の形態で説明した構成を応用してもよい。
【０１０１】
第１の実施の形態から第７の実施の形態として説明した反射部付きコンタクト部材３０の構成は、技術的に矛盾が生じない限り、互いに組み合わせてもよく、変形して用いてもよい。
また、本開示は上記の第１の実施の形態から第７の実施の形態に何ら限定されるものではなく、本開示の要旨を逸脱しない範囲で種々の形態で実施することができる。
【符号の説明】
【０１０２】
１…眼球の光計測システム、１０…眼球、１３…前眼房、１４…角膜、１６…網膜、２０…光計測装置、２１…発光系、２２…受光系、２３…制御部、２４…算出部、２５…光路、３０…反射部付きコンタクト部材、３１…基体、３３、３４…反射部（反射部群）、３３ａ、３４ａ…切欠き部、３３ｂ、３４ｂ、３３１ｂ〜３３２ｂ、３４１ｂ〜３４５ｂ…ミラー、３３ｃ、３４ｃ…封止部材、３６…遮光膜、５０、５０′…型、５１、６２…凹部、５３、５４、６３、６４…突起、５５…真空吸引口、５６…転写シート、６１…雌型、６５…雄型、６６…凸部、２１１…発光部、２１２…偏光子、２２１…補償子、２２２…検光子、２２３…受光部、３３１〜３３２、３４１〜３４５、３５１〜３５５…反射部、Ｉ…厚みが薄い領域、ＩＩ…厚みが厚い領域、ＩＮ…入射点、ＯＵＴ…出射点
【図１】
2017200604.tif 000003
【図２】
2017200604.tif 000004
【図３】
2017200604.tif 000005
【図４】
2017200604.tif 000006
【図５】
2017200604.tif 000007
【図６】
2017200604.tif 000008
【図７】
2017200604.tif 000009
【図８】
2017200604.tif 000010
【図９】
2017200604.tif 000011
【図１０】
2017200604.tif 000012
【図１１】
2017200604.tif 000013
【図１２】
2017200604.tif 000014